(57)【要約】【課題】キャビネット内に複数の内機ユニットを備える分電盤または配電盤の設計時に、電気系統に関する専門的な知識を必要とせず、簡単かつ速やかに設計を行うことができる分電盤または配電盤の設計支援システムを提供すること【解決手段】寸法情報と、電気的属性情報と、配置規則情報を記憶した内機ユニットデータベース１と、該内機ユニットデータベースから、選択された内機ユニットに関する各種情報を入手して記憶する選択内機ユニット情報記憶手段４と、内機ユニットを、自動的に、最適な位置に配置する内機ユニット配置手段７と、上下左右で隣接する内機ユニット間の電気的属性の異同を判定する電気的属性異同判定手段８と、該電気的属性異同判定手段の判定結果に基づいて、区画の必要な箇所を決定する区画箇所決定手段９を備える。【選択図】図５
2015032134.tif 000002
【特許請求の範囲】
【請求項１】
データ入力手段を通じて、キャビネットと、該キャビネト内に配置する複数の内機ユニットを選択して、該内機ユニットをキャビネット内に配置する分電盤または配電盤の設計支援システムであって、
選択対象となる内機ユニットの各々につき、寸法情報と、電気的属性情報と、配置規則情報を記憶した内機ユニットデータベースと、
該内機ユニットデータベースから、選択された内機ユニットに関する前記各種情報を入手して記憶する選択内機ユニット情報記憶手段と、
選択された内機ユニットを、キャビネット内に配置する内機ユニット配置手段と、
該内機ユニット配置手段により内機ユニットが配置された状態において、前記電気的属性情報に基づいて、上下左右で隣接する内機ユニット間の電気的属性の異同を判定する電気的属性異同判定手段と、
該電気的属性異同判定手段の判定結果に基づいて、区画の必要な箇所を決定する区画箇所決定手段
を備えることを特徴とする分電盤または配電盤の設計支援システム。
【請求項２】
前記電気的属性情報に、区画省略情報を含み、
前記区画箇所決定手段は、区画省略情報を含んだ内機ユニットに隣接する内機ユニットの区画を省略するとして決定する
ことを特徴とする請求項１記載の分電盤または配電盤の設計支援システム。
【請求項３】
前記内機ユニットに搭載した部品の変更または追加を行う部品変更手段と、
前記選択された内機ユニットに搭載した部品の電気的属性情報を判定し記憶する部品情報記憶手段を備え、
前記電気的属性異同判定手段は、
各内機ユニットの電気的属性情報に基づいて、上下左右で隣接する内機ユニット間の電気的属性の異同を判定する他、
前記部品情報記憶手段に記憶された部品の電気的属性情報に基づいて、部品変更手段によって変更された部品に隣接する部品間の電気的属性の異同を判定し、
前記区画箇所決定手段は、
電気的属性の異なる内機ユニット間、および、電気的属性の異なる部品間を、区画の必要な箇所として決定する
ことを特徴とする請求項１記載の分電盤または配電盤の設計支援システム。
【請求項４】
前記内機ユニットに搭載した部品の変更または追加を行う部品変更手段と、
前記選択された内機ユニットに搭載した部品の電気的属性情報を記憶する部品情報記憶手段を備え、
前記電気的属性異同判定手段は、
各内機ユニットの電気的属性情報に基づいて、上下左右で隣接する内機ユニット間の電気的属性の異同を判定する他、前記部品情報記憶手段に記憶された部品の電気的属性情報に基づいて、隣接する部品間の電気的属性の異同を判定し、
前記区画箇所決定手段は、
電気的属性の異なる内機ユニット間で、かつ、区画省略情報により区画の省略が指示されていない箇所、および、電気的属性の異なる部品間を、区画の必要な箇所として決定する
ことを特徴とする請求項２記載の分電盤または配電盤の設計支援システム。
【発明の詳細な説明】
【技術分野】
【０００１】
本発明は、分電盤または配電盤の設計支援システムに関するものである。
【背景技術】
【０００２】
同一の分電盤または配電盤内に強電系統と弱電系統など、異なる電気系統の内機ユニットを配設する場合、異なる電気系統の内機ユニット間には、電気系統の混触を防止するための区画部材（セパレータ）が配置される（例えば、特許文献１）。
【０００３】
しかし、キャビネット内に複数の内機ユニットを備える分電盤または配電盤の設計時に、各内機ユニットをキャビネット内の最適な位置に配置しつつ、隣接するユニットの電気系統を考慮しながらセパレータを正確に配置するには、専門的な知識が必要となり、設計に負担と時間がかかる問題があった。
【先行技術文献】
【特許文献】
【０００４】
【特許文献１】特開２００１−９５１２８号公報
【発明の概要】
【発明が解決しようとする課題】
【０００５】
本発明の目的は前記問題を解決し、キャビネット内に複数の内機ユニットを備える分電盤または配電盤の設計時に、各内機ユニットをキャビネット内の最適な位置に配置しつつ、隣接する内機ユニットの電気系統を考慮しながら、電気系統の混触を防止するための区画箇所を、電気系統に関する専門的な知識を必要とせず、簡単かつ速やかに決定することができる分電盤または配電盤の設計支援システムを提供することである。
【課題を解決するための手段】
【０００６】
上記課題を解決するためになされた本発明の分電盤または配電盤の設計支援システムは、データ入力手段を通じて、キャビネットと、該キャビネト内に配置する複数の内機ユニットを選択して、該内機ユニットをキャビネット内に配置する分電盤または配電盤の設計支援システムであって、選択対象となる内機ユニットの各々につき、寸法情報と、電気的属性情報と、配置規則情報を記憶した内機ユニットデータベースと、該内機ユニットデータベースから、選択された内機ユニットに関する前記各種情報を入手して記憶する選択内機ユニット情報記憶手段と、選択された内機ユニットを、キャビネット内に配置する内機ユニット配置手段と、該内機ユニット配置手段により内機ユニットが配置された状態において、前記電気的属性情報に基づいて、上下左右で隣接する内機ユニット間の電気的属性の異同を判定する電気的属性異同判定手段と、該電気的属性異同判定手段の判定結果に基づいて、区画の必要な箇所を決定する区画箇所決定手段を備えることを特徴とするものである。
【０００７】
請求項２記載の発明は、請求項１記載の分電盤または配電盤の設計支援システムにおいて、前記電気的属性情報に、区画省略情報を含み、前記区画箇所決定手段は、区画省略情報を含んだ内機ユニットに隣接する内機ユニットの区画を省略するとして決定することを特徴とするものである。
【０００８】
請求項３記載の発明は、請求項１記載の分電盤または配電盤の設計支援システムにおいて、前記内機ユニットに搭載した部品の変更または追加を行う部品変更手段と、前記選択された内機ユニットに搭載した部品の電気的属性情報を判定し記憶する部品情報記憶手段を備え、前記電気的属性異同判定手段は、各内機ユニットの電気的属性情報に基づいて、上下左右で隣接する内機ユニット間の電気的属性の異同を判定する他、前記部品情報記憶手段に記憶された部品の電気的属性情報に基づいて、部品変更手段によって変更された部品に隣接する部品間の電気的属性の異同を判定し、前記区画箇所決定手段は、電気的属性の異なる内機ユニット間、および、電気的属性の異なる部品間を、区画の必要な箇所として決定することを特徴とするものである。
【０００９】
請求項４記載の発明は、請求項２記載の分電盤または配電盤の設計支援システムにおいて、前記内機ユニットに搭載した部品の変更または追加を行う部品変更手段と、前記選択された内機ユニットに搭載した部品の電気的属性情報を記憶する部品情報記憶手段を備え、前記電気的属性異同判定手段は、各内機ユニットの電気的属性情報に基づいて、上下左右で隣接する内機ユニット間の電気的属性の異同を判定する他、前記部品情報記憶手段に記憶された部品の電気的属性情報に基づいて、隣接する部品間の電気的属性の異同を判定し、前記区画箇所決定手段は、電気的属性の異なる内機ユニット間で、かつ、区画省略情報により区画の省略が指示されていない箇所、および、電気的属性の異なる部品間を、区画の必要な箇所として決定することを特徴とするものである。
【発明の効果】
【００１０】
本発明では、データ入力手段を通じて、キャビネットと、該キャビネト内に配置する複数の内機ユニットを選択して、該内機ユニットをキャビネット内に配置する分電盤または配電盤の設計支援システムであって、選択対象となる内機ユニットの各々につき、寸法情報と、電気的属性情報と、配置規則情報を記憶した内機ユニットデータベースと、該内機ユニットデータベースから、選択された内機ユニットに関する前記各種情報を入手して記憶する選択内機ユニット情報記憶手段と、選択された内機ユニットを、キャビネット内に配置する内機ユニット配置手段と、該内機ユニット配置手段により内機ユニットが配置された状態において、前記電気的属性情報に基づいて、上下左右で隣接する内機ユニット間の電気的属性の異同を判定する電気的属性異同判定手段と、該電気的属性異同判定手段の判定結果に基づいて、区画の必要な箇所を決定する区画箇所決定手段を備える構成とすることにより、設計作業者が電気系統に関する専門的な知識を有していない場合であっても、各内機ユニットをキャビネット内の最適な位置に配置しつつ、隣接する内機ユニットの電気系統を考慮しながら、電気系統の混触を防止するための区画箇所を決定する作業を、簡単かつ速やかに行うことができる。
【図面の簡単な説明】
【００１１】
【図１】分電盤または配電盤の設計支援システムを説明するブロック図である。
【図２】図１のシステムを用いた設計の流れを説明するフロー図である。
【図３】内機ユニットデータベースの説明図である。
【図４】実施例１の説明図である。
【図５】実施例２の説明図である。
【図６】実施例３の説明図である。
【発明を実施するための形態】
【００１２】
以下に本発明の好ましい実施形態を示す。
【００１３】
分電盤または配電盤の設計支援システムは、
図１に示すように、
選択対象となる内機ユニットの各々につき、寸法情報と、電気的属性情報と、配置規則情報、及び各内機ユニットに搭載された部品とその電気的属性情報を記憶した内機ユニットデータベース１と、
設計者が、キャビネット内に複数のユニットを備えた分電盤または配電盤の設計に際し、キャビネットや内機ユニットの選択等、各種入力を行うデータ入力手段３と、
内機ユニットデータベース１から選択された内機ユニットに関する各種情報を入手して記憶する選択内機ユニット情報記憶手段４と、
内機ユニットに搭載した部品の変更または追加を行う部品変更手段５と、
選択された内機ユニットに搭載した部品の電気的属性情報を判定し記憶する部品情報記憶手段６と、
選択された全ての内機ユニットの寸法情報と配置規則情報に基づいて、該内機ユニットを、自動的に、キャビネット内で、各々、最適な位置に配置する内機ユニット配置手段７と、
該内機ユニット配置手段７により最適な位置に配置された状態において、
前記電気的属性情報に基づいて、
上下左右で隣接する内機ユニット間の電気的属性の異同を判定する電気的属性異同判定手段８と、
該電気的属性異同判定手段８の判定結果に基づいて、
区画の必要な箇所を決定する区画箇所決定手段９と、
前記各手段における処理を経て作成された設計図を表示する表示手段１０から構成されている。
なお、これら各手段は  実際には、外部記憶装置やメモリに読み込まれたプログラムおよびＣＰＵ等により実現される。
【００１４】
前記の電気的属性情報とは、異なる電気系統（単相系統と三相系統、配電系統と通信系統など）を区別するためのものである。
【００１５】
上記システムを用いた設計の流れを図２のフローに従って説明する。
【００１６】
（ＳＴ１）
データ入力手段３を介して、配電盤の仕様（相線式・主幹容量・分岐数）を入力する。
【００１７】
（ＳＴ２）
データ入力手段３を介して、図３に示す内機ユニットデータベース１から内機ユニットを選択する。
内機ユニットは、所望する配電盤の仕様情報を入力して選択可能であるほか、ユニット品名を直接指定したり、複数選択することもできる。
選択された内機ユニット関する各種情報が、内機ユニットデータベース１から選択内機ユニット情報記憶手段４に送信され記憶される。また、選択された内機ユニットに搭載した部品の電気的属性情報が、内機ユニットデータベース１から部品情報記憶手段６に送信され記憶される。
【００１８】
（ＳＴ３）
内機ユニット配置手段７は、選択内機ユニット情報記憶手段４に記憶された寸法情報と配置規則情報に基づいて、選択された内機ユニットを、自動的に、キャビネット内で、各々、最適な位置に配置する。
配置規則は、特に限定されないが、例えば、指定順にレイアウト画面の上から下に配置することを原則とし、選択内機ユニット情報記憶手段４に記憶された配置規則情報に配置規則の制限がある場合には、その配置規則を優先することができる。また、内機ユニットを左右２列に配置することを指定することもできる。なお、内機ユニット配置手段７は配置規則情報によらず作業者が任意で指定するものであってもよい。
【００１９】
（ＳＴ４）
電気的属性異同判定手段８は、該内機ユニット配置手段により最適な位置に配置された状態において、上下左右で隣接する内機ユニット間の電気的属性の異同判定を行う。
【００２０】
原則として、区画は、隣接する内機ユニット間の電気的属性が異なる箇所に設けられるが、特定の内機ユニット（例えば、電源ユニット等）が配置された場合には、区画が省略される。特定の内機ユニットはその機能や構造から区画を省略することが可能なユニットであり、この区画省略情報は、内機ユニットデータベース１の電気的属性情報に含めて記憶されている。
【００２１】
（ＳＴ５）
区画箇所決定手段９は、前記電気的属性異同判定手段８の判定結果に基づいて、電気的属性の異なる内機ユニット間で、区画の必要な箇所を決定する。
【００２２】
上下に配置される内機ユニットは、原則同一の横幅を有するため、上下で隣接するユニット間を区画する場合には、区画も前記横幅と同一長さとする。また、セパレータを左右に隣接するユニット間を区画する場合には、内機ユニットが接する辺に配置する。
【００２３】
（ＳＴ６、ＳＴ７）
ここで、データ入力手段３を介して、部品変更手段５を操作し、内機ユニットに搭載した部品の変更または追加を行うこともできる。この場合、部品の変更または追加情報が、内機ユニットデータベース１から部品情報記憶手段６に送信され記憶され、電気的属性異同判定手段８が、部品情報記憶手段に記憶された部品の電気的属性情報に基づいて、内機ユニット上で隣接する部品間の電気的属性の異同を判定する。
区画箇所決定手段９は、該電気的属性異同判定手段の判定結果に基づいて、電気的属性の異なる部品間を、区画の必要な箇所として決定する。
【００２４】
（ＳＴ８）
表示手段１０は、前記各手段における処理を経て作成された設計図の表示を行う。
設計図の表示は画面上に限らず、印刷で出力されたものであっても良い。
【実施例】
【００２５】
（実施例１）
データ入力手段３を介して、内機ユニット品名を、ＡＡＡ-ＢＢＢの順に入力すると、
内機ユニットが、入力順にレイアウト画面にイメージで上下に配置される。
電気的属性異同判定手段８が、ＡＡＡとＢＢＢの属性を判断し、ＡＡＡとＢＢＢの属性が異なるため、区画箇所決定手段９により、ＡＡＡとＢＢＢの間にはセパレータが配置される。これらのプロセスを経て、図４の設計図が表示手段１０に表示される。
なお、レイアウト画面の内機ユニットのイメージ表示は必須ではなく、表示手段１０は設計図を印刷で出力するのみであっても良い。
【００２６】
（実施例２）
データ入力手段３を介して、左右にユニット配列することをあらかじめ指定した後、左側配列にＦＦＦ-ＡＡＡ−ＣＣＣの順に入力し、右側配列にＤＤＤ-ＥＥＥの順に入力すると、左側配列と右側配列で、各々、内機ユニットが、入力順にレイアウト画面に上下に配置される。
電気的属性異同判定手段８が、上下左右で隣接する内機ユニットの属性を判断する。
ＦＦＦ-ＡＡＡ間は異なる属性だがＦＦＦが特殊属性のためセパレータ設置不要と判断される。
ＡＡＡ-ＣＣＣ間は同一属性のためセパレータ設置不要と判断される。
ＤＤＤ-ＥＥＥ間は同一属性のためセパレータ設置不要と判断される。
ＤＤＤ-ＦＦＦ間は異なる属性だがＦＦＦが特殊属性のためセパレータ設置不要と判断される。
ＡＡＡ-ＤＤＤ間は異なる属性のためセパレータ設置必要と判断される。
ＣＣＣ-ＤＤＤ間は異なる属性のためセパレータ設置必要と判断される。
ＣＣＣ-ＥＥＥ間は異なる属性のためセパレータ設置必要と判断される。
区画箇所決定手段９により、セパレータ設置必要と判断したユニットの境界部分には、セパレータが配置される。
これらのプロセスを経て、図５の設計図が表示手段１０に表示される。
【００２７】
（実施例３）
データ入力手段３を介して、左右にユニット配列することをあらかじめ指定した後、左側配列にＡＡＡを入力し、右側配列にＧＧＧを入力する。
ユニットＧＧＧには当初、部品ＡＡ１と部品ＡＡ２とが搭載されている。
更に、部品変更手段５を操作して、ＧＧＧの右側部品をＢＢ２に変更する。
電気的属性異同判定手段８が、隣接する内機ユニット間の電気的属性の異同と、隣接する部品間の電気的属性の異同を判定する。
最初に、電気的属性異同判定手段８はユニット同士の属性判定を行なう。ＡＡＡ-ＧＧＧ間は同一属性のためセパレータ設置不要と判断される。次に、電気的属性異同判定手段８はユニット上で組替えた部品同士の属性判定を行なう。すなわちユニットＧＧＧに搭載された部品ＡＡ１と部品をＢＢ２とは、その部品名より属性が異なるためセパレータ設置必要と判断される。
区画箇所決定手段９により、セパレータ設置必要には、セパレータが配置される。
これらのプロセスを経て、図６の設計図が表示手段１０に表示される。
なお、上記実施形態では区画は衝立形状のセパレータとしたが、区画は電気的属性の異なるユニット同士または部品同士を区切る目印となればよく、単に区画線を設けただけであっても良い。
【符号の説明】
【００２８】
１  内機ユニットデータベース
２  部品データベース
３  データ入力手段
４  選択内機ユニット情報記憶手段
５  部品変更手段
６  部品情報記憶手段
７  内機ユニット配置手段
８  電気的属性異同判定手段
９  区画箇所決定手段
１０  表示手段
【図１】
2015032134.tif 000003
【図２】
2015032134.tif 000004
【図３】
2015032134.tif 000005
【図４】
2015032134.tif 000006
【図５】
2015032134.tif 000007
【図６】
2015032134.tif 000008